(57)【要約】  編地の周縁部をより滑らかな曲線に形成することができる編地及びその編成方法の提供を目的とする。  周縁部の少なくとも一部に円弧状の編地部分を有する編地の編成方法は、ニードルベッドを少なくとも前後一対に設けた横編機で編成される編地の周縁部の少なくとも一部に円弧状の編地部分を有する編地の編成方法であって、前後の編地の共通の編み出し部を形成し、編み出し部から前後の編地をそれぞれ個別のキャリアで編成するとともに、当該編地の編成幅の複数個所で編地幅を減少させて収束させることで、編み出し部を円弧状に形成し、編地の左右側縁部が編地の開口部となるように前後の編地をそれぞれに接合するようにしたことを特徴とするものである。
2009022535.tif 000002
【特許請求の範囲】
【請求項１】
ニードルベッドを少なくとも前後一対に設けた横編機で編成される編地の周縁部の少なくとも一部に円弧状の編地部分を有する編地の編成方法であって、前後の編地の共通の編み出し部を形成し、編み出し部から前後の編地をそれぞれ個別のキャリアで編成するとともに、当該編地の編成幅の複数個所で編地幅を減少させて収束させることで、編み出し部を円弧状に形成し、編地の左右側縁部が編地の開口部となるように前後の編地をそれぞれに接合することを特徴とする、周縁部の少なくとも一部に円弧状の編地部分を有する編地の編成方法。
【請求項２】
ニードルベッドを少なくとも前後一対に設けた横編機で編成される編地の周縁部の少なくとも一部に円弧状の編地部分を有する編地であって、円弧状に形成される周縁部が前後のニードルベッドの編針にそれぞれ別個に給糸される編糸で編成されており、当該円弧状を形成する部分からの編成幅の複数個所で編地幅を減少させてウェ―ルを収束させることにより、円弧状の編地部分が形成されていることを特徴とする周縁部の少なくとも一部に円弧状の編地部分を有する編地。
【請求項３】
請求項２に記載の周縁部の少なくとも一部に円弧状の編地部分を有する編地が袋状の編地であって、円弧状に形成される周縁部が袋の底部を形成し、編地の左右側縁部が編地の開口部を形成してなる周縁部の少なくとも一部に円弧状の編地部分を有する編地。
【請求項４】
周縁部の少なくとも一部に円弧状の編地部分を有する編地が袋状の編地であって、開口部が編地の左右側縁部に帯状に形成された編地の側縁部で形成されていることを特徴とする請求項３に記載の周縁部の少なくとも一部に円弧状の編地部分を有する編地。
【発明の詳細な説明】
【技術分野】
【０００１】
本発明は、横編機で編成される編地及びその編成方法に係り、更に詳しくは編地の周縁部の少なくとも一部に円弧状の編地部分を有する編地と、その編成方法に関するものである。
【背景技術】
【０００２】
従来、横編機で編成される、編地の周縁部の少なくとも一部に円弧状の編地部分を有する編地には、例えば、帽子等の袋状編地があり、その編成方法は図７に示すように、下部開口１０１から編み出しを行い、矢印１０４の方向に編成し、隣接するループ同士を重ね合わせた接合ポイントを結ぶライン１０２が頂部１０３に向かって収束する通称パラシュート柄と呼ばれる編地１００が知られている。
このパラシュート柄により形成された編地は、接合ポイントを結ぶライン１０２に沿って円錐状の編地部分を有することとなる。【０００３】
そして、パラシュート柄を編地の一部に設けたものとして、例えば、下記特許文献１には、セーターの前身頃となるセーター用編地の脇より上方の肩周りに、隣接するループ同士を重ね合わせた接合ポイントを結ぶラインが衿首用開口に向かって収束するセーター用編地が開示されている。【０００４】
【特許文献１】ＷＯ２００２／０６６７２２号公報
【発明の開示】
【発明が解決しようとする課題】
【０００５】
しかしながら、上記した特許文献１に記載のパラシュート柄では、接合ポイントを結ぶラインの収束位置が衿首用開口にあるため、この接合ポイントを結ぶラインが一方向に向かって収束し、この結果、編地の周縁部が直線に近い状態となり易く、編地の周縁部をより滑らかな曲線に形成することが難しいという問題があった。【０００６】
本発明は、上記した従来の問題点に鑑みてなされたものであって、編地の周縁部をより滑らかな曲線に形成することができる編地及びその編成方法の提供を目的とする。
【課題を解決するための手段】
【０００７】
上記目的を達成するために、本発明に係る周縁部の少なくとも一部に円弧状の編地部分を有する編地の編成方法は、ニードルベッドを少なくとも前後一対に設けた横編機で編成される編地の周縁部の少なくとも一部に円弧状の編地部分を有する編地の編成方法であって、前後編地の共通の編み出し部を形成し、編み出し部から前後の編地をそれぞれ個別のキャリアで編成するとともに、当該編地の編成幅の複数個所で編地幅を減少させて収束させることで、編み出し部を円弧状に形成し、編地の左右側縁部が編地の開口部となるように前後の編地をそれぞれに接合するようにしたことを特徴とするものである。【０００８】
また、本発明に係る周縁部の少なくとも一部に円弧状の編地部分を有する編地は、ニードルベッドを少なくとも前後一対に設けた横編機で編成される編地の周縁部の少なくとも一部に円弧状の編地部分を有する編地であって、円弧状に形成される周縁部が前後のニードルベッドの編針にそれぞれ別個に給糸される編糸で編成されており、当該円弧状を形成する部分からの編成幅の複数個所で編地幅を減少させてウェ―ルを収束させることにより、円弧状の編地部分が形成されていることを特徴とするものである。【０００９】
そして、前記した構成の編地において、周縁部の少なくとも一部に円弧状の編地部分を有する編地が袋状の編地であって、円弧状に形成される周縁部が袋の底部を形成し、編地の左右側縁部が編地の開口部を形成してなる周縁部の少なくとも一部に円弧状の編地部分を有することも特徴とするものである。【００１０】
更に、前記した編地において、周縁部の少なくとも一部に円弧状の編地部分を有する編地が袋状の編地であって、開口部が編地の左右側縁部に帯状に形成された編地の側縁部で形成されていることをも特徴とするものである。
【発明の効果】
【００１１】
本発明に係る周縁部の少なくとも一部に円弧状の編地部分を有する編地の編成方法によれば、前後編地の共通の編み出し部を形成し、編み出し部から前後の編地をそれぞれ個別のキャリアで編成するとともに、当該編地の編成幅の複数個所で編地幅を減少させて収束させることで、編み出し部を円弧状に形成し、編地の左右側縁部が編地の開口部となるように前後の編地をそれぞれに接合するので、簡単に編地の周縁の円弧状形成部分が滑らかな曲線を有する編地を編成することができる。【００１２】
また、本発明に係る編地は、円弧状に形成される周縁部が前後のニードルベッドの編針にそれぞれ別個に給糸される編糸で編成されており、当該円弧状を形成する部分からの編成幅の複数個所で編地幅を減少させてウェールを収束させることにより、円弧状の編地部分が形成されているので、編地の周縁部分を滑らかな円弧状にした編地を提供することが可能となる。【００１３】
そして、周縁部の少なくとも一部に円弧状の編地部分を有する編地が袋状の編地であって、円弧状に形成される周縁部が袋の底部を形成し、編地の左右側縁部が編地の開口部を形成したものでは、この袋状編地を帽子やバッグ等に使用した場合、滑らかな円弧状周縁を有する今までにはないユニークな製品にすることができる利点がある。【００１４】
さらに、周縁部の少なくとも一部に円弧状の編地部分を有する編地が袋状の編地であって、開口部が編地の左右側縁部に帯状に形成された編地の側縁部で形成したものでは、当該開口部が帯状編地で補強されたデザインになり、意匠的な美観が高まる上、当該帯状の幅を変更するだけで袋状編地の深さも変更できる利点もある。
【図面の簡単な説明】
【００１５】
【図１】本発明の一実施形態に係る編地の側面図である。
【図２】前記編地の編成展開図である。
【図３】本発明の他の実施形態に係る編地の正面図である。
【図４】本発明の別の実施形態に係る編地の正面図である。
【図５】本発明の更に別の実施形態に係る編地の正面図である。
【図６】従来の編地の斜視図である。
【符号の説明】
【００１６】
４  周縁部
６  開口部
１１  編み出し部
【発明を実施するための最良の形態】
【００１７】
以下、本発明にかかる周縁部の少なくとも一部に円弧状の編地部分を有する編地及びその編成方法のもっとも好ましい実施の形態を図面に基づいて説明する。
【実施例１】
【００１８】
図１は本発明にかかる周縁部の少なくとも一部に円弧状の編地部分を有する編地の一例であるニット製の帽子の側面図であって、図中符号１はこの帽子を全体的に示し、２は袋状の編地部分、３は帯状編地部分、４は袋状編地部分の周縁部分、５は袋状編地部分の接合ポイントを結ぶライン、６は開口部、７は袋状の編地部分の中央部分、８は編成方向を示す矢印、９は左右の帯状編地部分の接合部、１０は帽子の被り口、１１は編み出し部分を示す。
この帽子１を編成する編機は、編針を進退摺動可能に収納したニードルベッドの歯口部分を近接させた状態で少なくとも前後一対に設けた周知の横編機（図示しない）である。
この帽子１は、周縁部分４が円弧状に形成され、周縁部分４から中央部分７に収束する袋状の編地部分２と、帽子１の被り口１０と開口部６を形成する帯状編地部分３とからなる。【００１９】
この袋状の編地部分２及び帯状編地部分３は図２に示すように、先ず、前後編地の共通の編み出し部分１１（袋状の編地部分２の周縁部分４）を形成する。この前後編地の共通の編み出し部分１１の形成は、１つのキャリア（図示せず）からの編糸を前後のニードルベッドの編針にわたって給糸して編み出し部分１１を形成する。
尚、編み出し部分１１の形成は、上記した前後のニードルベッドの編針にわたって給糸して編み出し部分１１を形成する方法に替えて、前後いずれかのニードルベッドの編針に給糸した後、対向する編針にループを移動して編み出し部分を形成してもよい。
ここで編み出し幅は、帽子１の円弧状の周縁部分４の長さと帯状編地部分３の幅とを合算したものにしてある。
因みに、図２は後述するように、編み出し部分１１から前後のニードルベッドのそれぞれに形成される編地の編成展開図の一方、例えば前のニードルベッドで編成される編地の展開図である。【００２０】
次に、上記編み出し部分１１から編糸が掛止している前後のニードルベッドの編針に、各ニードルベッドに対応する個別のキャリアからそれぞれ給糸して、各ニードルベッドに編幅の両端に位置する後述の帯状編地部分３を除く部分に複数の箇所で編幅を減少させることにより、図２の編地幅の中心部分Ａに各頂部が収束するような複数の二等辺三角形が形成される。
逆に言えば、編地幅の中心部分Ａからウェールや接合ポイントを結ぶライン５が放射状に延びた形状になっている。【００２１】
尚、本実施例１においては、編地幅の中心部分Ａに各頂部が収束するような複数の二等辺三角形を形成したが、必ずしもこれに限定されず、接合ポイントの位置や数を変更することで、二等辺三角形以外の形状に形成することも可能であり、また、編地幅の中心部分Ａに各頂部が収束するような複数の二等辺三角形は、全てが同じ形状でなくてもよく、それぞれ異なる二等辺三角形または二等辺三角形以外の他の形状であってもよい。
このように複数の箇所で編幅を減少させるには、矢印８で示すように、編地幅の中心部分Ａに向けて複数の箇所の編目を重ね、その重なり合わされた編目を掛止している編針に新たな編目を形成することにより行われる。【００２２】
斯くして、複数の箇所で編幅が減少し、図２の編地幅の中心部分Ａに収束すると、帯状編地部分３が中心部分Ａを挟んで隣り合わせに近接した状態になる。
この中心部分Ａを挟んで隣り合わせに近接した状態に置かれた帯状編地部分３の近いもの同士の編目を重ねて編成することで、接合部９において左右の帯状編地部分３を接続すると、帯状編地部分３の側縁部分が帽子１の被り口１０として開口し、編み出し部分１１が滑らかな曲線を描いた帽子１（袋状編地）が形成されるのである。
そしてこの帽子１は、被り口１０が帯状編地部分３の側縁部分で形成されるので伏せ目処理で形成されたものと比べて、硬くならず柔軟性に富み、仕上がりの美しいものとなっている。
尚、図示は省略したが帯状編地部分３にガータ編やレース編等の柄を編成してもよく、こうした場合、帽子１の意匠感が大幅に向上する。
【実施例２】
【００２３】
図３は本発明にかかる周縁部の少なくとも一部に円弧状の編地部分を有する編地の一例であるニット製のパンツの正面図であって、図中符号１２はこのパンツを全体的に示し、１３はパンツの履き口、１４は右脚編地部分、１５は左脚編地部分、１６は袋状編地部分の一部を構成する襠編地部分を示す。
尚、以下に示す実施例において、実施例１と同一の構成要素には、同一の符号を付すとともにその詳細な説明を省略する。
このパンツ１２は、上記実施例１で説明した周縁部分４が円弧状に形成され、周縁部分４から中央部分７に収束する袋状の編地部分２と、パンツ１２の履き口１３と開口部６を形成する帯状編地部分３と、左右の脚編地部分１４，１５とからなる。【００２４】
この袋状の編地部分２及び帯状編地部分３の編成は実施例１と同様に行い、図３において一点鎖線Ｂで示す袋状編地部分２に至るまでの左右脚編地部分１４，１５は、横編機の前後のニードルベットによりそれぞれ独立した筒状編地として編成する。【００２５】
本実施例２に係るパンツ１２において、周縁部分４から中央部分７に収束する袋状の編地部分２となるのは、パンツ１２の円弧状の周縁部分４となる編み出し部分１１と、左右脚編地部分１４，１５からの編地部分及び襠編地部分１６である。
【実施例３】
【００２６】
図４は本発明にかかる周縁部の少なくとも一部に円弧状の編地部分を有する編地としてのベスト、ワンピース、セーター、スカート等のニットウエアの一例であるワンピースの前身頃の正面図であって、図中符号１７はこのワンピースの前身頃を全体的に示し、１８は襟用編地部分、１９は肩編み出し部、２０は袖用開口部、２１は胴部編地部分、２２はワンピースの前身頃の裾を示す。
このワンピースの前身頃１７は、襟用編地部分１８と、胴部編地部分２１と、上記実施例１で説明した周縁部分４が円弧状に形成され、周縁部分４から中央部分７に収束する袋状の編地部分２と、ワンピースの前身頃１７の裾２２と開口部６を形成する帯状編地部分３とからなる。【００２７】
本実施例３に係るワンピースの前身頃１７の袋状の編地部分２及び帯状編地部分３の編成は実施例１と同様に行い、図４に示す一点鎖線Ｃで示す袋状編地部分２に至るまでの胴部編地部分２１は、横編機の前後のニードルベットにより襟用編地部分１８を筒状に編成し、肩編み出し部１９の編み出しを行って、袖用開口部２０で袖用の開口部を形成するか、または、図示しない袖を接合し、更に胴部２１を筒状に編成する。
【実施例４】
【００２８】
図５は、本発明にかかる周縁部の少なくとも一部に円弧状の編地部分を有する編地の一例であるニット製の鞄の側面図であって、図中符号２３はこの鞄を全体的に示し、２４は鞄の持ち手を示す。
鞄２３は、上記した実施例１の帽子１の天地を反転させた形状を有し、鞄２３の上部に形成された帯状編地部分３と、下部に形成された袋状編地部分２とからなり、帯状編地部分３に持ち手２４が取り付けられている。
鞄２３は、実施例１の帽子１と同様に編成する。【００２９】
尚、上記の実施例１〜４の形態では、周縁部の少なくとも一部に円弧状の編地部分を有する編地が袋状の編地として、袋の底部を有する袋状編地としたが、本発明の編地はそれに限定されるものでなく、筒状や平面状の編地の周縁部の少なくとも一部に円弧状の編地部分を有する編地であってもよい。
また、開口部６が袋状編地の左右側縁部に帯状に形成された帯状編地部分３を形成したが、それに限定されるものでなく、例えば編地の左右側縁部に帯状編地部分を形成しない編地により構成してもよい。【００３０】
そして、袋状編地部２においては、組織柄を加えたり、キャリアの追加により２以上の色糸を用いた縞模様などといった配色による様々の模様を形成してもよい。
加えて、上記実施例１〜４に記載した編地の編成方法においては、２枚ベッドの横編機を用いた場合には一本おきに編針を使用する針抜き編成を行うが、４枚ベッドの横編機を用いた場合には全ての編針を使用して針抜きなしで編成することができる。
【図１】
2009022535.tif 000003
【図２】
2009022535.tif 000004
【図３】
2009022535.tif 000005
【図４】
2009022535.tif 000006
【図５】
2009022535.tif 000007
【図６】
2009022535.tif 000008
【国際調査報告】
2009022535.tif 000009
2009022535.tif 000010
2009022535.tif 000011